(57)【要約】  【課題】  異物の侵入を防止することができると共に、一度浸入した水を容易に排出することができる。また、小形で簡単な構造とすることができて加工の簡素化を図れると共に、部品点数を減らすことができて低コスト化を図ることができるフロート弁付水抜きパイプを提供する。  【解決手段】  筐体の底面壁１を貫通してパイプ１０を設けると共に、該パイプ１０内にフロート弁１１を設け、該パイプ１０内の穴をフロート弁１１の重みにより閉栓すると共に、該パイプ１０内に水が浸入した場合はその水より受ける浮力によりフロート弁１１が浮き上がって前記穴を開栓して進入した水を抜くようにした。  【選択図】  図１
2005209972.tif 000002
【特許請求の範囲】
【請求項１】
筐体の底面壁を貫通してパイプを設けると共に、該パイプ内にフロート弁を設け、該パイプ内の穴をフロート弁の重みにより閉栓すると共に、該パイプ内に水が浸入した場合はその水より受ける浮力によりフロート弁が浮き上がって前記穴を開栓して進入した水を抜くようにしたことを特徴とするフロート弁付水抜きパイプ。
【請求項２】
筐体の底面壁を貫通して設けられるパイプと、
前記パイプ内に沿って可動に設けられるフロート弁と、
前記パイプ内壁面に周回状に突設され、前記フロート弁を支持すると共に、該フロート弁を支持することにより、前記パイプの穴を閉栓可能な大きさに制限するフロート弁支持体と
を備えてなるフロート弁付水抜きパイプ。
【請求項３】
請求項２に記載のフロート弁付水抜きパイプにおいて、
前記フロート弁は穴を閉栓する弁体部と、フロート弁の傾きを規制するための規制部とからなり、
前記弁体部はその断面積において先端ほど小さく後端にかけて大きくなる略錐体状をなし、前記規制部は弁体部後端に設けられ、弁体部の後端付近における断面積よりも小さな断面積を有する棒状をなすことを特徴とするフロート弁付水抜きパイプ。
【請求項４】
請求項１乃至請求項３のいずれかに記載のフロート弁付水抜きパイプにおいて、
前記パイプの端部には、筐体底面壁を貫通して筐体底面の内壁面に当接されるフランジ部を有し、該フランジ部には、筐体底面から前記パイプ内への水の導入を容易にするための切欠き部が形成されていることを特徴とするフロート弁付水抜きパイプ。
【発明の詳細な説明】
【技術分野】
【０００１】
本発明は、例えば通信機器等の屋外筐体に侵入した水を抜くためのフロート弁付水抜きパイプに関するものである。
【背景技術】
【０００２】
通信機器等の屋外筐体は雨水等の浸入を防止するため密閉状態に構成されたものが知られる。しかしこのような密閉筐体は一度何らかの原因で水が浸入した場合にその水を抜くことができず、内部に納められている電気回路部品に重大な故障を招く虞がある。水が浸入する場合としては、例えば急激な温度変化が生じ、外気と内気に圧力差が生じて内気が負圧となった場合などにおいて、筐体の溶接部などにごく僅かなピンホールがあれば、雨水などを吸い込むことになる。
このため、このような密閉筐体に代わり、筐体に外気と内気の圧力を調整すると共に、一度水が浸入した場合は、それを容易に排水（抜く）ことができる水抜きパイプを設けるようにしたものが従来より知られる。
【０００３】
図３〜図５はそれぞれ従来の水抜きパイプを示す側面図（ａ）と底面図（ｂ）である。図３に示す水抜きパイプは筐体底面壁を貫通して設けられるストレートの円筒状である。図４に示す水抜きパイプは上面開放状の箱型をなし、筐体底面壁１で開放された上面側を覆うように筐体底面壁１に取り付けられる。筐体底面壁１と水抜きパイプの下面壁２にはそれぞれ適所に水抜き用の穴が設けられている。
【発明の開示】
【発明が解決しようとする課題】
【０００４】
しかし、図３や図４に示した水抜きパイプは、パイプの穴が常時開放状態とされているので、飛翔した雨水、例えばホコリ、ゴミ、虫などの異物、或いは有害なガスや空気などの侵入を防止することができない。
そのため、図５に示すように、第１のパイプ１Ａとこの第１のパイプ１Ａに螺合させて第２のパイプ１Ｂを備え、第１のパイプ１Ａと第２のパイプ１Ｂの接合部分に、空気は通すが水を通さない素材からなる防水部材３を使用して水の浸入を防ぐようにしたものが火山地帯や塩害地帯でよく使用されるが、この場合は、圧力調整は可能なものの、やはり一度侵入した水を排水することはできないという問題を有している。
【０００５】
本発明は、上述した事情に鑑みて成されたものであり、異物の侵入を防止することができると共に、一度浸入した水を容易に排出することができるフロート弁付水抜きパイプを提供することを目的としている。
【課題を解決するための手段】
【０００６】
上述した課題を解決するため、本発明に係るフロート弁付水抜きパイプは、  筐体の底面壁を貫通してパイプを設けると共に、該パイプ内にフロート弁を設け、該パイプ内の穴をフロート弁の重みにより閉栓すると共に、該パイプ内に水が浸入した場合はその水より受ける浮力によりフロート弁が浮き上がって前記穴を開栓して進入した水を抜くようにしたことを特徴とする。
【０００７】
また、本発明に係るフロート弁付水抜きパイプは、筐体の底面壁を貫通して設けられるパイプと、前記パイプ内に沿って可動に設けられるフロート弁と、前記パイプ内壁面に周回状に突設され、前記フロート弁を支持すると共に、該フロート弁を支持することにより、前記パイプの穴を閉栓可能な大きさに制限するフロート弁支持体とを備えてなることを特徴とする。
【０００８】
なお、フロート弁の重さを軽減して排水効率を向上させるために、フロート弁は穴を閉栓する弁体部と、フロート弁の傾きを規制するための規制部とからなり、前記弁体部はその断面積において先端ほど小さく後端にかけて大きくなる略錐体状をなし、前記規制部は弁体部後端に設けられ、弁体部の後端付近における断面積よりも小さな断面積を有する棒状をなすようにすることが好ましい。
【０００９】
また、前記パイプの端部には、筐体底面壁を貫通して筐体底面の内壁面に当接されるフランジ部を有し、該フランジ部には、筐体底面から前記パイプ内への水の導入を容易にするための切欠き部が形成されていることが好ましい。
さらに、僅かな水でも容易に排出することができるように、フロート弁を比重の小さいもので構成することが好ましい。
【発明の効果】
【００１０】
以上に詳述したように本発明によれば、異物の侵入を防止することができると共に、一度浸入した水を容易に排出することができる。また、小形で簡単な構造とすることができて加工の簡素化を図れると共に、部品点数を減らすことができて低コスト化を図ることができる。
【発明を実施するための最良の形態】
【００１１】
以下、本発明の実施の形態について図面を参照しつつ説明する。本実施の形態において、フロート弁付水抜きパイプは通信機器等を納めた屋外筐体に適用される場合について説明する。
【００１２】
図１（ａ）は本発明の実施の形態によるフロート弁付水抜きパイプの構成を示す平面図、図１（ｂ）は同断面側面図、図１（ｃ）は底面図である。また、図２（ａ）は図２（ｂ）のＡ−Ａ断面図でパイプ部のみを示す図、図２（ｂ）はフロート弁が浮いた状態を示す断面側面図である。
【００１３】
本実施の形態におけるフロート弁付水抜きパイプは、筐体の底面壁１を貫通して設けられるパイプ１０と、パイプ１０内に沿って可動に設けられるフロート弁１１と、パイプ内壁面の所定の高さ位置に周回状に突設され、フロート弁１１を支持すると共に、フロート弁１１を支持することによりパイプの穴を閉栓可能とするように、パイプの穴の大きさをフロート弁１１の断面形状に適した大きさに制限するフロート弁支持体１２と、フロート弁支持体１２が設けられた位置よりも高い位置におけるパイプ内壁面に周回状に突設され、フロート弁１１の傾き（姿勢）を規制するパイプ側傾き規制部１３とを備えて構成される。
【００１４】
フロート弁１１は穴を閉栓する弁体部１１ａと、フロート弁１１の傾きを規制するための規制部１１ｂとからなり、弁体部１１ａはその断面積において先端ほど小さく後端にかけて大きくなる略錐体状をなし、規制部１１ｂは、弁体部の後端付近における断面積よりも小さな断面積を有する棒状をなしてパイプ側傾き規制部１３の内を挿通している。なお、弁体部１１ａの後端外周部には、パイプ内壁面に当接してフロート弁の傾きを補助的に規制する補助規制部１１ｃが形成されている。以上の構成において、フロート弁１１は例えば樹脂材の一体成形により構成され、比重が小さくされると共に加工の簡素化が図られている。
【００１５】
筐体内に位置付けられるパイプ１０の一端は外方に放射状に延出された４辺のフランジ部１０ａが突出状に形成され、このフランジ部１０ａとナット１４により、これらの間に挿入された筐体底面壁１の穴周辺部がフランジ部１０ａに圧着される。すなわち、このパイプ１０のフランジ部１０ａは円環状ではなく、円環に切欠き部１０ｂが設けられた構造を有するため、筐体底面に浸入した水はこのフランジ部１０ａの切欠き部１０ｂを通してパイプ内に導入されてその排水が容易となる。
なお、フランジ部１０ａとナット１４の間にはパッキン１５が設けられ密構造とされている。
【００１６】
以上の構成において、水が浸入していないときはフロート弁１１はその重さにより弁体部１１ａの外周部がフロート弁支持体１２に当接してパイプが閉栓される。一方、一度筐体内に何らかの原因で水が浸入した場合は、フランジ部１０ａの切欠き部１０ｂよりパイプ１０内に流動し、フロート弁１１をその浮力で浮き上がらせてパイプ１０を開栓して水は外部に排出される。
【００１７】
こうして、本発明のフロート弁付水抜きパイプは、簡単な構造において、常時は筐体内を密閉状態とすると共に、一度水が浸入した場合は、それを容易に排水することができ、通信機器等が設けられる筐体内の防水構造として、多大な効果を奏する。
【００１８】
なお、実施の形態において、本発明のフロート弁付水抜きパイプは通信機器等の屋外筐体に適用された場合について説明したが、通信機器以外の例えば計測機器、制御機器等が納められた屋外筐体についても、同様に適用されることは言うまでもない。
【図面の簡単な説明】
【００１９】
【図１】本発明の実施の形態によるフロート弁付水抜きパイプの閉栓状態を示す構成図であり、（ａ）は平面図、（ｂ）は断面側面図、（ｃ）は底面図である。
【図２】本発明の実施の形態によるフロート弁付水抜きパイプの開栓状態を示す構成図であり、（ａ）はａ−ａ線断面図、（ｂ）は断面側面図である。
【図３】従来の水抜きパイプの第１の例を示す図である。
【図４】従来の水抜きパイプの第２の例を示す図である。
【図５】従来の水抜きパイプの第３の例を示す図である。
【符号の説明】
【００２０】
１０  パイプ、１０ａ  フランジ部、１０ｂ  切欠き部、１１  フロート弁、１１ａ  弁体部、１１ｂ  規制部、１１ｃ  補助規制部、１２  フロート弁支持体、１３  パイプ側規制部。
【図１】
2005209972.tif 000003
【図２】
2005209972.tif 000004
【図３】
2005209972.tif 000005
【図４】
2005209972.tif 000006
【図５】
2005209972.tif 000007